【手続補正書】
【提出日】平成22年2月18日(2010.2.18)
【手続補正１】
【補正対象書類名】特許請求の範囲
【補正対象項目名】全文
【補正方法】変更
【補正の内容】
【特許請求の範囲】
【請求項１】
カメラと、
前記カメラを封入するカプセルであって、前記カプセルは透明な窓を備え、前記カメラは、前記透明な窓を通して前記カプセルの外側の被写体面の画像を撮像すべく構成されていて、前記透明な窓は、内側面と外側面とを有するカプセルと、
前記被写体面を、前記透明な窓を通して照明する光源と、を備え、
前記カプセルは、前記カメラの視野内の入射画像光線と、前記透明な窓の内側および外側面との交差により境界が画定された第１の組の内側および外側の透明な窓表面領域と、出射照明光線と、前記透明な窓の内側および外側表面領域との交差により境界が画定された第２の組の内側および外側の透明な窓表面領域とを有し、
各組からの前記内側の透明な窓表面領域は、重なり合わず、
入射画像光線は、前記被写体面による出射照明光線の反射により形成される、生体内撮像システム。
【請求項２】
少なくとも１つの入射画像光線と、少なくとも１つの出射照明光線は、前記透明な窓表面上の共通点において交差する、
請求項１に記載の生体内撮像システム。
【請求項３】
前記カプセル内に封入された反射面であって、前記反射面は、前記光源からの少なくとも１つの出射照明光線を、前記カメラから遠ざかる方向へ、且つ前記被写体面に向けて反射すべく構成された反射面を更に備える、
請求項１に記載の生体内撮像システム。
【請求項４】
前記出射照明光線のいくつかは、前記光源から材料内に通過し、前記材料の反射面により反射され、前記透明な窓外側表面を通過する、
請求項１に記載の生体内撮像システム。
【請求項５】
前記カメラの視野は１８０度を超える、
請求項１に記載の生体内撮像システム。
【請求項６】
前記カメラは、入射瞳を有するパノラマカメラであり、前記カメラにおける単一の画像平面が、前記被写体面の前記画像を含むパノラマ画像を撮像する、
請求項１に記載の生体内撮像システム。
【請求項７】
閉じた筐体が、前記パノラマカメラ内に光を透過させる透明な窓を含んでいて、前記パノラマカメラは、カプセルの長軸に対してある範囲の視野角により画定される経度方向の視野および前記長軸の回りの方位角のパノラマ範囲により画定される緯度方向の視野により構成されていることにより、前記カメラが実質的に３６０度の緯度方向視野および０度を超える角度から９０度を超える角度にわたる経度方向視野をカバーするパノラマ画像を撮像することができる、
請求項６に記載の生体内撮像システム。
【請求項８】
パノラマ環状レンズが、同心対称軸を有し、且つ入射光が第１の屈折面を通って透明な媒体に入射できるように構成された２個の屈折面および２個の反射面を含んでいる、
請求項７に記載の生体内撮像システム。
【請求項９】
パノラマ環状レンズが、同心対称軸を有し、且つ入射光が第１の屈折面を通って透明な媒体に入射して、第１の反射面により反射され、次いで第２の反射面により反射され、次いで第２の屈折面を通って前記媒体から出射できるように構成された２個の屈折面および２個の反射面を含んでいる、
請求項６に記載の生体内撮像システム。
【請求項１０】
前記反射面および屈折面が錐状回転面であって、前記第１の反射面の円錐定数が−０．６〜＋２の範囲にあり、前記第２の反射面の円錐定数が前記第１の反射面の円錐定数より小さくなるように選ばれている、
請求項９に記載の生体内撮像システム。
【請求項１１】
前記反射面および屈折面が、回転尖円面、回転楕円面、または回転非楕円面のうちの一つである、
請求項９に記載の生体内撮像システム。
【請求項１２】
撮像された複数の画像からなる連続画像を生成すべく構成されたデータプロセッサを更に備える、
請求項１に記載の生体内撮像システム。
【請求項１３】
前記データプロセッサが前記カプセルの外側に配置されている、
請求項１２に記載の生体内撮像システム。
【請求項１４】
前記光源および前記カメラに電力を供給するための電源と、
前記カメラに結合されて、前記カメラにより撮像された少なくとも１つの画像を格納するためのメモリと、を更に備える、
請求項１に記載の生体内撮像システム。
【請求項１５】
カプセル内に収納されているカメラを用いる生体内撮像方法であって、
所定の波長範囲での電磁放射に対して少なくとも部分的に透明な窓を有するカプセル筐体を提供するステップと、
患者によって前記カプセルを摂取するステップと、
前記波長範囲での電磁放射を、前記カプセル筐体の前記窓の第１の組の内側および外側の透明な窓表面領域を通して放射するステップと、
前記窓の第２の組の内側および外側の透明な窓表面領域を通して、前記カメラ内の画像センサーにより、前記患者の被写体面による前記電磁放射の反射から画像を検出するステップと、を含み、
各組の前記内側の透明な窓表面領域は重なり合わない、生体内撮像方法。
【請求項１６】
前記検出の結果としての画像を圧縮して圧縮された画像データを生成するステップと、
前記圧縮された画像データをアップロードするステップと、を更に含む、
請求項１５に記載の生体内撮像方法。
【請求項１７】
前記圧縮の後で、前記アップロードの前に、前記圧縮された画像データを前記カプセルのメモリに格納するステップを更に含む、
請求項１６に記載の生体内撮像方法。
【請求項１８】
圧縮された画像データを処理のためにコンピュータにアップロードするステップを更に含む、
請求項１５に記載の生体内撮像方法。
【請求項１９】
前記画像をホストコンピュータにアップロードするステップは、前記カプセル筐体を回収するステップと、前記カプセルを前記コンピュータに接続するステップと、を更に含む、
請求項１８に記載の生体内撮像方法。
【請求項２０】
前記画像をコンピュータにアップロードするステップは、前記画像を前記カプセルから前記コンピュータへ送信するステップを更に含む、
請求項１８に記載の生体内撮像方法。
【請求項２１】
前記画像を、無線信号でアップロードするステップを更に含む、
請求項１５に記載の生体内撮像方法。
【請求項２２】
前記検出の結果としての画像を圧縮して、圧縮された画像データを生成するステップと、
前記圧縮された画像データを、無線通信信号を介してアップロードするステップと、を更に含む、
請求項１５に記載の生体内撮像方法。
【請求項２３】
前記カプセル内の画像センサーにより検出された画像の圧縮を実行して圧縮された画像データを生成するステップと、
前記圧縮された画像データを前記カプセル内のメモリに格納するステップと、
前記圧縮された画像データを、無線通信信号を介してアップロードするステップと、を更に含む、
請求項１５に記載の生体内撮像方法。
【請求項２４】
検出されている前記反射に含まれている少なくとも１つの入射画像光線と、放射されている前記電磁放射に含まれている少なくとも１つの出射照明光線が、前記透明な窓の表面上の共通点において交差する、
請求項１５に記載の生体内撮像方法。
【請求項２５】
前記電磁放射の少なくとも１部分が、前記カプセル内に含まれている光源から、前記カプセル内の材料を通過し、前記材料の反射面から反射し、前記窓の外側表面を通過する、
請求項１５に記載の生体内撮像方法。
【請求項２６】
前記カメラの視野は、１８０度を超える、
請求項１５に記載の生体内撮像方法。
【請求項２７】
前記カメラはパノラマカメラである、
請求項１５に記載の生体内撮像方法。
【請求項２８】
前記検出の結果としての複数の画像を含む連続画像を生成するステップを更に含む、
請求項１５に記載の生体内撮像方法。
【請求項２９】
画像データを、前記画像センサーから、前記患者の外側の受信機にアップロードするステップを更に含む、
請求項１５に記載の生体内撮像方法。
【請求項３０】
カメラと、
前記カメラを封入するカプセルであって、前記カプセルは透明な窓を備え、前記カメラは、前記透明な窓を通して前記カプセルの外側の被写体面の画像を撮像すべく構成されたカプセルと、
前記被写体面を、前記透明な窓を通して照明する光源と、を備え、
前記被写体面により反射される少なくとも１つの入射画像光線と、少なくとも１つの出射照明光線は、前記透明な窓の表面上の共通点において交差し、
前記カプセル内に封入されている反射面であって、前記光源からの少なくとも１つの出射照明光線を、前記カメラから遠ざかる方向へ、且つ前記被写体面に向けて反射すべく構成された反射面を更に備える、生体内撮像システム。
【請求項３１】
前記カメラの視野が１８０度を超える、
請求項３０に記載の生体内撮像システム。
【請求項３２】
前記カメラは入射瞳を有するパノラマカメラであり、前記カメラの単一画像平面が、前記被写体面の画像を含むパノラマ画像を撮像する、
請求項３０に記載の生体内撮像システム。